(57)【要約】【課題】デザイン性が向上し、被取付物への取付けが容易になり利便性が向上するとともに、操作性に優れ、さらには、組立および分解が容易に行なえる携帯型通信機器を提供する。【解決手段】携帯型通信機器１００は、前側キャビネット１０および後側キャビネット２０を含む機器本体１と、板バネ６０、前側カバー３０および後側カバー４０を含むクリップ２とを備える。前側カバー３０および板バネ６０は、第１ネジ穴２６に第１ネジ７２が螺合されることで後側キャビネット２０に固定され、後側キャビネット２０は、第２ネジ穴１２に第２ネジ７１が螺合されることで前側キャビネット１０に固定される。後側カバー４０は、前側カバー３０に係止され、板バネ６０、第１ネジ７２および第２ネジ７１は、後側カバー４０によって覆われる。【選択図】図３
2014060588.tif 000002
【特許請求の範囲】
【請求項１】
機器本体と、前記機器本体の上端部から後方に向けて突出しかつ前記機器本体の下端部側に向けて延びるように設けられたクリップとを備えた携帯型通信機器であって、
前記機器本体は、組み合わされることで電池および電子部品が収容される第１収容空間を規定する前側キャビネットおよび後側キャビネットを含み、
前記クリップは、撓み変形が可能な弾性部材と、組み合わされることで前記弾性部材の少なくとも一部が収容される第２収容空間を規定する前側カバーおよび後側カバーとを含み、
前記後側キャビネットは、前記機器本体の上端部側の部分に対応した位置に設けられ、後方に向けて開口する第１ネジ穴を有し、
前記前側カバーは、前記第１ネジ穴に対応した位置に設けられた第１貫通孔を有し、
前記弾性部材は、前記第１ネジ穴に対応した位置に設けられた第２貫通孔を有し、
前記前側カバーおよび前記弾性部材は、前記第１ネジ穴に前記第１貫通孔および第２貫通孔を介して第１ネジが螺合されることで前記後側キャビネットに固定され、
前記弾性部材の前記第２収容空間に収容される部分および前記第１ネジは、前記前側カバーに前記後側カバーが固定された状態において前記後側カバーによって覆われる、携帯型通信機器。
【請求項２】
前記前側キャビネットから前記後側キャビネットを取り外した状態において、前記電池が露出する、請求項１に記載の携帯型通信機器。
【請求項３】
前記前側キャビネット、前記後側キャビネット、前記前側カバーおよび前記後側カバーが組み合わされた状態において、前記機器本体の外表面および前記クリップの外表面が概ね連続する、請求項１または２に記載の携帯型通信機器。
【請求項４】
前記弾性部材は、前記前側カバーから前記後側キャビネット側に向けて膨出する膨出部を有する、請求項１から３のいずれかに記載の携帯型通信機器。
【請求項５】
前記前側キャビネットは、前記機器本体の上端部側の部分に対応した位置に設けられ、後方に向けて開口する第２ネジ穴と、前記機器本体の下端部側の部分に対応した位置に設けられた第１係止部とを有し、
前記後側キャビネットは、前記第２ネジ穴に対応した位置に設けられた第３貫通孔と、
前記第１係止部に対応した位置に設けられた第１被係止部とをさらに有し、
前記前側カバーは、所定位置に設けられた第２係止部をさらに有し、
前記後側カバーは、前記第２係止部に対応した位置に設けられた第２被係止部を有し、
前記後側キャビネットは、前記第１被係止部が前記第１係止部に係止された状態において前記第２ネジ穴に前記第３貫通孔を介して第２ネジが螺合されることで前記前側キャビネットに固定され、
前記後側カバーは、前記第２被係止部が前記第２係止部に係止されることで少なくとも前記前側カバーに固定され、
前記第２ネジは、前記前側カバーに前記後側カバーが固定された状態において前記後側カバーによって覆われる、請求項１から４のいずれかに記載の携帯型通信機器。
【請求項６】
前記後側カバーが前記前側カバーに対してスライドされることで前記第２係止部と前記第２被係止部との係止およびその解除が行なわれ、これにより前記前側カバーに対して前記後側カバーが着脱される、請求項５に記載の携帯型通信機器。
【請求項７】
前記第２ネジ穴に前記第２ネジが螺合されていない状態において、前記後側キャビネットが前記前側キャビネットに対してスライドされることで前記第１係止部と前記第１被係止部との係止およびその解除が行なわれ、これにより前記前側キャビネットに対して前記後側キャビネットが着脱される、請求項５または６に記載の携帯型通信機器。
【発明の詳細な説明】
【技術分野】
【０００１】
本発明は、携帯型通信機器に関し、特に、機器本体にクリップが設けられた携帯型通信機器に関する。
【背景技術】
【０００２】
携帯電話、スマートフォンに代表される小型の携帯型通信機器は、使用時以外には鞄等に収納されることが多く、そのような場合には使用の度毎に鞄等からこれを取り出す必要があり、その動作が煩雑となる場合がある。そこで、機器本体にクリップを設け、衣服の胸ポケットやベルト等に取付可能にし、その迅速な取り出しが可能にされた携帯型通信機器が種々開発されている。
【０００３】
このような携帯型通信機器の一例として、特開平１１−２７３５５号公報（特許文献１）には、機器本体の上面に一端がネジで固定されることにより機器本体の背面に対向して延在する弾性部材からなるクリップを備えたものが開示されている。
【０００４】
また、このような携帯型通信機器のその他の一例として、特開平１１−２５１７５９号公報（特許文献２）には、機器本体の背面に載置されたクリップを、その背面側から機器本体の背面および機器本体の内部に位置するシャーシにネジ留めしたものが開示されている。
【０００５】
また、このような携帯型通信機器のその他の一例として、特開２００７−１８１０８３号公報（特許文献３）には、機器本体の背面側にヒンジを介して連結されたクリップを有するものが開示されている。
【先行技術文献】
【特許文献】
【０００６】
【特許文献１】特開平１１−２７３５５号公報
【特許文献２】特開平１１−２５１７５９号公報
【特許文献３】特開２００７−１８１０８３号公報
【発明の概要】
【発明が解決しようとする課題】
【０００７】
近年においては、携帯電話やスマートフォン等の携帯型通信機器自体に限られず、これらを含む各種電子機器と無線または有線で通信を行うことによって当該電子機器を制御するさらに小型の携帯型通信機器が普及している。これら小型の携帯型通信機器は、デザイン性や操作性等において優れていることが要求されるばかりでなく、製造の際あるいは電池交換や修理の際等においてその組立や分解が容易に行なえることが要求される。しかしながら、上述した小型化に伴い、これらの要求を充足することが困難な状況となってきている。
【０００８】
たとえば、特許文献１または２に開示された構成を採用した場合には、クリップを固定するネジが外表面に現れるため、デザイン性が損なわれてしまう。特に、上述した小型化に伴い、ネジが携帯型通信機器の外観に与える影響も強くなってしまい、そのデザイン性が大幅に損なわれてしまうことになりかねない。
【０００９】
一方、特許文献３に開示された構成を採用した場合には、胸ポケット等への取付けの際に、ヒンジを介して機器本体に連結されたクリップを一度回動させる動作が必要になり、取付けに手間がかかってしまう。また、携帯型通信機器を手に持って操作する場合においては、クリップが邪魔になり、そのホールド感が低下してしまったり、操作がし難くなってしまったりする。さらには、構造が複雑になることでその組立や分解も困難になってしまう。
【００１０】
本発明は、上記のような問題に鑑みてなされたものであり、その目的は、デザイン性が向上し、被取付物への取付けが容易になり利便性が向上するとともに、操作性に優れ、さらには、組立および分解が容易に行なえる携帯型通信機器を提供することにある。
【課題を解決するための手段】
【００１１】
本発明に基づく携帯型通信機器は、機器本体と、上記機器本体の上端部から後方に向けて突出しかつ上記機器本体の下端部側に向けて延びるように設けられたクリップとを備える。上記機器本体は、組み合わされることで電池および電子部品が収容される第１収容空間を規定する前側キャビネットおよび後側キャビネットを含む。上記クリップは、撓み変形が可能な弾性部材と、組み合わされることで上記弾性部材の少なくとも一部が収容される第２収容空間を規定する前側カバーおよび後側カバーとを含む。上記後側キャビネットは、上記機器本体の上端部側の部分に対応した位置に設けられ、後方に向けて開口する第１ネジ穴を有する。上記前側カバーは、上記第１ネジ穴に対応した位置に設けられた第１貫通孔を有する。上記弾性部材は、上記第１ネジ穴に対応した位置に設けられた第２貫通孔を有する。上記前側カバーおよび上記弾性部材は、上記第１ネジ穴に上記第１貫通孔および第２貫通孔を介して第１ネジが螺合されることで上記後側キャビネットに固定される。上記弾性部材の上記第２収容空間に収容される部分および上記第１ネジは、上記前側カバーに上記後側カバーが固定された状態において上記後側カバーによって覆われる。
【００１２】
上記本発明に基づく携帯型通信機器にあっては、上記前側キャビネットから上記後側キャビネットを取り外した状態において、上記電池が露出することが好ましい。
【００１３】
上記本発明に基づく携帯型通信機器にあっては、上記前側キャビネット、上記後側キャビネット、上記前側カバーおよび上記後側カバーが組み合わされた状態において、上記機器本体の外表面および上記クリップの外表面が概ね連続することが好ましい。
【００１４】
上記本発明に基づく携帯型通信機器にあっては、上記弾性部材は、上記前側カバーから上記後側キャビネット側に向けて膨出する膨出部を有することが好ましい。
【００１５】
上記本発明に基づく携帯型通信機器にあっては、上記前側キャビネットは、上記機器本体の上端部側の部分に対応した位置に設けられ、後方に向けて開口する第２ネジ穴と、上記機器本体の下端部側の部分に対応した位置に設けられた第１係止部とを有する。上記後側キャビネットは、上記第２ネジ穴に対応した位置に設けられた第３貫通孔と、上記第１係止部に対応した位置に設けられた第１被係止部とをさらに有する。上記前側カバーは、所定位置に設けられた第２係止部をさらに有する。上記後側カバーは、上記第２係止部に対応した位置に設けられた第２被係止部を有する。上記後側キャビネットは、上記第１被係止部が上記第１係止部に係止された状態において上記第２ネジ穴に上記第３貫通孔を介して第２ネジが螺合されることで上記前側キャビネットに固定される。上記後側カバーは、上記第２被係止部が上記第２係止部に係止されることで少なくとも上記前側カバーに固定される。上記第２ネジは、上記前側カバーに上記後側カバーが固定された状態において上記後側カバーによって覆われることが好ましい。
【００１６】
上記本発明に基づく携帯型通信機器にあっては、上記後側カバーが上記前側カバーに対してスライドされることで上記第２係止部と上記第２被係止部との係止およびその解除が行なわれ、これにより上記前側カバーに対して上記後側カバーが着脱されることが好ましい。
【００１７】
上記本発明に基づく携帯型通信機器にあっては、上記第２ネジ穴に上記第２ネジが螺合されていない状態において、上記後側キャビネットが上記前側キャビネットに対してスライドされることで上記第１係止部と上記第１被係止部との係止およびその解除が行なわれ、これにより上記前側キャビネットに対して上記後側キャビネットが着脱されることが好ましい。
【発明の効果】
【００１８】
本発明によれば、デザイン性が向上し、被取付物への取付けが容易になり利便性が向上するとともに、操作性に優れ、さらには、組立および分解が容易に行なえる携帯型通信機器を提供することができる。
【図面の簡単な説明】
【００１９】
【図１】本発明の実施の形態に係る携帯型通信機器の正面側斜視図である。
【図２】図１に示す携帯型通信機器の背面側斜視図である。
【図３】図２に示すＩＩＩ−ＩＩＩ線に沿った断面図である。
【図４】図１に示す前側キャビネットに電池および電子部品を搭載させた状態における背面側斜視図である。
【図５】図１に示す後側キャビネットの背面側斜視図である。
【図６】図１に示す前側カバーに板バネを搭載させた状態における背面側斜視図である。
【図７】図１に示す後側カバーの背面側斜視図である。
【図８】図１に示す携帯型通信機器の組立手順を示す概略図である。
【図９】図１に示す携帯型通信機器の組立手順を示す概略図である。
【図１０】図１に示す携帯型通信機器の組立手順を示す概略図である。
【発明を実施するための形態】
【００２０】
以下、本発明の実施の形態について、図を参照して詳細に説明する。以下においては、本発明が適用された携帯型通信機器として、携帯電話やスマートフォンとの無線通信が可能に構成されたいわゆるヘッドセットを例示して説明する。なお、同一のまたは共通する部分に図中同一の符号を付し、その説明は繰り返さない。
【００２１】
図１は、本発明の実施の形態に係る携帯型通信機器の正面側斜視図である。図２は、図１に示す携帯型通信機器の背面側斜視図である。図３は、図２に示すＩＩＩ−ＩＩＩ線に沿った断面図である。まず、図１ないし図３を参照して、本実施の形態に係る携帯型通信機器１００の構成を説明する。
【００２２】
図１ないし図３に示すように、本実施の形態に係る携帯型通信機器１００は、機器本体１と、クリップ２とを備える。機器本体１は、その正面に表示部８および動作状態表示部９を有する。クリップ２は、機器本体１の背面側に位置する。
【００２３】
機器本体１は、上下方向（図中に示す矢印Ｘ方向）に沿って延在する扁平かつ細長の略直方体形状を有し、前側キャビネット１０と後側キャビネット２０とを含む。図３に示すように、前側キャビネット１０および後側キャビネット２０は、組み合わされることによって電池３および各種の電子部品を収容する第１収容空間８１を規定する。ここで、前側キャビネット１０および後側キャビネット２０に収容される電子部品としては、回路基板５、マイクロホン６、レシーバ７等が挙げられる。
【００２４】
また、機器本体１は、たとえばＬＣＤにて構成された上記表示部８や、電源状態や通信状態を表示する上述した動作状態表示部９を含む。さらに、機器本体１は、図示しない電源スイッチ、フックスイッチ、音量調整スイッチ等の各種の操作スイッチを具備する。
【００２５】
図１ないし図３に示すように、クリップ２は、機器本体１の上端部（図１中における左側）から後方に向けて突出しかつ機器本体１の下端部側に向けて延在するように設けられる。クリップ２は、前側カバー３０と、後側カバー４０と、撓み変形可能な弾性部材としての板バネ６０とを含む。図３に示すように、前側カバー３０および後側カバー４０は、組み合わされることによって板バネ６０を収容する第２収容空間８２を規定する。また、板バネ６０は、前側カバー３０から後側キャビネット２０に向かって膨出する膨出部６５を有する。
【００２６】
クリップ２を用いて携帯型通信機器１００が衣服のポケットやベルト等の被取付物に取付けられる場合には、機器本体１とクリップ２との間に被取付物が挿し込まれる。これにより、板バネ６０が撓み変形することになり、クリップ２が機器本体１から離れ、膨出部６５が機器本体１から離れる。そして、板バネ６０の弾性復元力により、膨出部６５と機器本体１との間に挿し込まれた被取付物が挟持される。
【００２７】
本実施の形態に係る携帯型通信機器１００においては、上述したように、その外殻を構成する筺体が前側キャビネット１０、後側キャビネット２０、前側カバー３０および後側カバー４０によって構成され、これらが組み合わされた状態において、機器本体１の外表面およびクリップ２の外表面が概ね連続する形状となるように形成される。そのため、携帯型通信機器１００を手で持って操作する場合にいわゆるホールド感が得られ、安定した把持が可能になるとともに操作性が向上する。
【００２８】
ここで、図３に示すように、前側キャビネット１０および後側キャビネット２０は、機器本体１の上端側において、第２ネジ７１が機器本体１の背面側から正面側に向けて螺合されることによって主として固定される。また、後側キャビネット２０、前側カバー３０および板バネ６０は、第１ネジ７２が機器本体１の背面側から正面側に向けて螺合されることによって主として固定される。さらに、後側カバー４０は、板バネ６０の第２収容空間８２に収容される部分、第２ネジ７１および第１ネジ７２を覆うように前側カバー３０に嵌め込まれることで主として固定される。なお、これら組立構造の詳細および組立手順については、後述することとする。
【００２９】
図４は、図１に示す前側キャビネットに電池および電子部品を搭載させた状態における背面側斜視図である。次に、図４を参照して、前側キャビネット１０の構成およびこれに搭載される電池３および電子部品について説明する。
【００３０】
図４に示すように、前側キャビネット１０は、上下方向（図中に示す矢印Ｘ方向）に沿って延在し、その上端部および両側端部に立設された壁部を有する。前側キャビネット１０の内部には、電池３および上述した各種の電子部品が搭載される。電池３は、その主表面が露出した状態で前側キャビネット１０に搭載される。これにより、組立時における電池３の取付けおよび分解時における電池３の取外しが容易に行なえる。
【００３１】
前側キャビネット１０は、上端部側において後方に向けて緩やかに湾曲する湾曲部１３を有する。前側キャビネット１０の湾曲部１３が設けられた部分の内部には、後方に向けて立設された円柱状の台座部１１が位置し、台座部１１には、後方に向けて開口する第２ネジ穴１２が形成される。第２ネジ穴１２は、後側キャビネット２０の取付けの際に用いられる。
【００３２】
前側キャビネット１０の湾曲部１３の左右方向における略中央には、後方に向けて突設された係合突起１０３が位置する。係合突起１０３は、後側カバー４０を取付ける際に用いられる。
【００３３】
前側キャビネット１０の両側端部に位置する壁部には、第１係止部としてのスライド突起１０１および位置決め溝１０２が形成される。これらスライド突起１０１および位置決め溝１０２は、後側キャビネット２０を取付ける際に用いられる。
【００３４】
図５は、図１に示す後側キャビネットの背面側斜視図である。次に、図５を参照して、後側キャビネット２０の構成について説明する。
【００３５】
図５に示すように、後側キャビネット２０は、上下方向（図中に示す矢印Ｘ方向）に沿って延在し、正面側に開口を有する略箱形状を有する。後側キャビネット２０の上端部側の一部は、後方に向けて突出する。
【００３６】
後側キャビネット２０は、上端部側に位置する先端突出部２１と、前側カバー３０を載置する載置部２４とを有する。先端突出部２１は、前側キャビネット１０の台座部１１に載置される。先端突出部２１には、前側キャビネット１０の第２ネジ穴１２に対応する位置に第３貫通孔２２が形成され、また前側キャビネット１０の係合突起１０３に対応する位置に切欠き部２３が形成される。第３貫通孔２２は、前側カバー３０の取付けの際に用いられる。切欠き部２３は、係合突起１０３が先端突出部２１に接触することを防止する。
【００３７】
載置部２４には、円柱状の台座部２５が後方に向けて立設される。台座部２５には、後方に向けて開口する第１ネジ穴２６が形成される。第１ネジ穴２６は、前側カバー３０および板バネ６０の取付けの際に用いられる。なお、第１ネジ穴２６は、台座部２５を貫通して形成されてもよいし、台座部２５を貫通せずに底面が形成されてもよい。
【００３８】
先端突出部２１と載置部２４との間には、段差部２７が形成される。これにより、載置部２４は、先端突出部２１よりも後方向けて僅かに突出する。段差部２７は、前側カバー３０を後側キャビネット２０に取付ける際に位置決めとして利用される。
【００３９】
後側キャビネット２０は、上端部側において後方に向けて緩やかに湾曲する湾曲部２８を有する。湾曲部２８の内縁の所定位置には、湾曲部２８に沿って係合突起２０６が突設される。係合突起２０６は、後側カバー４０を取付ける際に用いられる。
【００４０】
後側キャビネット２０の両側端部に位置する壁部には、前側キャビネット１０のスライド突起１０１および位置決め溝１０２に対応した位置に第１被係止部としてのスライド溝２０１および位置決め突起２０２が形成される。これらスライド溝２０１および位置決め突起２０２は、後側キャビネット２０の取付けの際に用いられ、それぞれスライド突起１０１および位置決め溝１０２と係合する。
【００４１】
図６は、図１に示す前側カバーに板バネを搭載させた状態における背面側斜視図である。次に、図６を参照して、前側カバー３０の構成および板バネ６０について説明する。
【００４２】
図６を示すように、前側カバー３０は、上下方向（図中に示す矢印Ｘ方向）に沿って延在する略板形状を有する。前側カバー３０は、上端部側において前方に向けて僅かに突出する略Ｌ字形状の先端部３１を有する。先端部３１は、後側キャビネット２０の段差部２７に対応した位置に形成される。先端部３１は、前側カバー３０の取付けの際に位置決めに利用され、段差部２７に係合する。
【００４３】
前側カバー３０は、後側キャビネット２０の第１ネジ穴２６に対応する位置に第１貫通孔３２を有する。第１貫通孔３２は、前側カバー３０の取付けの際に用いられる。また、前側カバー３０の所定位置には、後方に向けて突出する略円柱状の位置決め突起３３が形成される。位置決め突起３３は、板バネ６０を取付ける際に用いられる。
【００４４】
前側カバー３０の両側端部には、第２係止部としての位置決め溝３０１が形成される。位置決め溝３０１は、後側カバー４０を取付ける際に用いられる。また、前側カバー３０の上端部側に位置する両側端部には、上方に向けて開口する係合溝３０４が形成される。係合溝３０４は、後側カバー４０を取付ける際に用いられる。
【００４５】
前側カバー３０の上端部側の左右方向に沿った略中央には、先端部３１から上方に向けて突設された係合孔３０５が位置する。係合孔３０５は、後側カバー４０を取付ける際に用いられる。
【００４６】
また、前側カバー３０には、当該前側カバー３０の下端を覆うサブカバー３４が取付けられる。サブカバー３４は、第２係止部としての係合溝３０２を有する。係合溝３０２は、後側カバー４０を取付ける際に用いられる。
【００４７】
板バネ６０は、後側キャビネット２０の第１ネジ穴２６に対応した位置に配置される第２貫通孔６１と、前側カバー３０の位置決め突起３３に対応する位置に配置される位置決め孔６２とを有する。第２貫通孔６１は、板バネ６０を取付ける際に用いられる。位置決め孔６２は、位置決め突起３３に嵌合される。なお、位置決め突起３３に位置決め孔６２が嵌合することにより、前側カバー３０の第１貫通孔３２と、板バネ６０の第２貫通孔６１が連続する。
【００４８】
また、板バネ６０は、下端側において前方側に向けて折り曲げられた折り曲げ部６４を有し、当該折り曲げ部６４のさらに先端側に上述した膨出部６５を有する。折り曲げ部６４が位置する部分の前側カバー３０には、図示しない開口が設けられており、当該開口を介して板バネ６０の一部が前側カバー３０の外部に引き出されることで、後側キャビネット２０と前側カバー３０との間に上記膨出部６５が配置される。
【００４９】
なお、膨出部６５は、板バネ６０を折り曲げることで形成されていなくてもよく、板バネ６０を前側カバー３０および後側カバー４０によって収容される部分と膨出部６５を構成する部分との別体にて構成し、これらを溶接することで形成されていてもよい。また、前側カバー３０と同一部材により、前側カバー３０と一体に膨出部を構成することとしてもよい。
【００５０】
図７は、図１に示す後側カバーの背面側斜視図である。次に、図７を参照して、後側カバー４０の構成について説明する。
【００５１】
図７に示すように、後側カバー４０は、上下方向（図中に示す矢印Ｘ方向）に沿って延在し、その上端部および両側端部に立設された壁部を有する。後側カバー４０は、上端部側において前方に向けて緩やかに湾曲する湾曲部４１を有する。
【００５２】
後側カバー４０の湾曲部４１に沿った両側端部に位置する壁部には、後側キャビネット２０の係合突起２０６に対応した位置に係合溝４０６が形成される。係合溝４０６は、後側カバー４０の取付けの際に用いられ、係合突起２０６に係合する。
【００５３】
後側カバー４０の係合溝４０６が形成された部分のさらに内側には、前側カバー３０の係合溝３０４に対応した位置に係合部４０４が形成される。係合部４０４は、後側カバー４０の取付けの際に用いられ、係合溝３０４に係合する。
【００５４】
後側カバー４０の上端部側の左右方向に沿った略中央には、上端部側から順に係合溝４０３と係合部４０５とが形成される。これら係合溝４０３および係合部４０５は、それぞれ前側キャビネット１０の係合突起１０３および前側カバー３０の係合孔３０５に対応した位置に形成される。係合溝４０３および係合部４０５は、後側カバー４０の取付けの際に用いられ、それぞれ係合突起１０３および係合孔３０５に係合する。
【００５５】
後側カバー４０の両側端部に位置する壁部には、前側カバー３０の位置決め溝３０１に対応した位置に第２被係止部としての位置決め突起４０１が形成される。位置決め突起４０１は、後側カバー４０の取付けの際に用いられ、位置決め溝３０１に係合する。
【００５６】
後側カバー４０の下端部には、前側カバー３０の係合溝３０２に対応した位置に第２被係止部としての係合突起４０２が形成される。係合突起４０２は、後側カバー４０の取付けの際に用いられ、係合溝３０２に係合する。
【００５７】
図８ないし図１０は、本実施の形態に係る携帯型通信機器の組立手順を示す概略図である。ここで、図８は、電池３および各種の電子部品を搭載した前側キャビネット１０に後側キャビネット２０を取付ける手順を示しており、図９は、後側キャビネット２０に前側カバー３０を取付ける手順を示しており、図１０は、前側カバー３０に後側カバー４０を取付ける手順を示している。以下、図８ないし図１０を参照して、本実施の形態に係る携帯型通信機器１００の組立手順について説明する。なお、後述する組立手順と逆の手順をとることにより、携帯型通信機器１００を分解することができる。
【００５８】
まず、図８に示すように、後側キャビネット２０が前側キャビネット１０に取付けられる際には、後側キャビネット２０の位置決め突起２０２が前側キャビネット１０の位置決め溝１０２に一部係合されて、後側キャビネット２０が前側キャビネット１０に対して図中に示す矢印Ａ方向にスライドさせられる。
【００５９】
このとき、位置決め溝１０２は、後側キャビネット２０の移動を図中に示す矢印Ａ方向に導くとともに、後側キャビネット２０を所定の位置に導く。これにより、前側キャビネット１０の第２ネジ穴１２と後側キャビネット２０の第３貫通孔２２が連続するように配置されるとともに、前側キャビネット１０のスライド突起１０１と後側キャビネット２０のスライド溝２０１とが係合する。すなわち、上記操作により、第１被係止部としてのスライド溝２０１および位置決め突起２０２が、それぞれ第１係止部としてのスライド突起１０１および位置決め溝１０２に係合する。
【００６０】
このように、本実施の形態においては、組立時において後側キャビネット２０が前側キャビネット１０に対してスライドされることにより取付られるため、組立性が向上する。一方、分解時においては、後側キャビネット２０が前側キャビネット１０に対してスライドされることにより取外されるため、分解性が向上する。
【００６１】
次に、上記状態において、前側キャビネット１０の第２ネジ穴１２に後側キャビネット２０の第３貫通孔２２を介して第２ネジ７１が背面側から挿入されて螺合される。これにより、前側キャビネット１０と後側キャビネット２０とが固定される。
【００６２】
つづいて、図９に示すように、前側カバー３０が後側キャビネット２０に取付けられる際には、前側カバー３０の先端部３１が後側キャビネット２０の先端突出部２１と載置部２４との間に形成された段差部２７に引っ掛けられてその位置決めが行なわれる。
【００６３】
これにより、後側キャビネット２０の第１ネジ穴２６と前側カバー３０の第１貫通孔３２とが連続するように配置されるとともに、前側カバー３０の一部が載置部２４に載置される。このとき、前側カバー３０には、予め板バネ６０が、第１貫通孔３２と第２貫通孔６１とが連続するように取付けられており、これにより第１ネジ穴２６、第１貫通孔３２および第２貫通孔６１が連続するように配置される。
【００６４】
次に、上記状態において、後側キャビネット２０の第１ネジ穴２６に前側カバー３０の第１貫通孔３２および板バネ６０の第２貫通孔６１を介して第１ネジ７２が螺合される。これにより、前側カバー３０および板バネ６０が後側キャビネット２０に固定される。
【００６５】
つづいて、図１０に示すように、後側カバー４０が、前側キャビネット１０、後側キャビネット２０および前側カバー３０に取付けられる際には、後側カバー４０の位置決め突起４０１が前側カバー３０の位置決め溝３０１に一部係合されて、後側カバー４０が前側カバー３０に対して図中に示す矢印Ｂ方向にスライドさせられる。
【００６６】
このとき、位置決め溝３０１は、後側カバー４０の移動を図中に示す矢印Ｂ方向に導くとともに、後側カバー４０を所定の位置に導く。これにより、板バネ６０の第２収容空間８２に収容される部分、第２ネジ７１および第１ネジ７２が後側カバー４０によって覆われるとともに、前側カバー３０の係合溝３０２と後側カバー４０の係合突起４０２とが係合する。すなわち、上記操作により、第２被係止部としての位置決め突起４０１および係合突起４０２が、それぞれ第２係止部としての位置決め溝３０１および係合溝３０２に係合する。
【００６７】
さらには、上記操作により、前側キャビネット１０の係合突起１０３と後側カバー４０の係合溝４０３とが係合し、後側キャビネット２０の係合突起２０６と後側カバー４０の係合溝４０６とが係合し、前側カバー３０の係合孔３０５と後側カバー４０の係合部４０５とが係合する。これにより、さらに強固に後側カバー４０が固定されることになる。
【００６８】
このように、本実施の形態においては、組立時において後側カバー４０が前側カバー３０に対してスライドされることにより取付けられるため、組立性が向上する。一方、分解時においては、後側カバー４０が前側カバー３０に対してスライドされることにより取外されるため、分解性が向上する。
【００６９】
以上のように、本実施の形態に係る携帯型通信機器１００にあっては、組立てられた状態において第２ネジ７１および第１ネジ７２が外表面に露出せず、その外観が前側キャビネット１０、後側キャビネット２０、前側カバー３０および後側カバー４０にて構成されるため、デザイン性が向上する。
【００７０】
さらには、本実施の形態に係る携帯型通信機器１００にあっては、前側キャビネット１０、後側キャビネット２０、前側カバー３０および後側カバー４０が組み合わさった状態において機器本体１の外表面とクリップ２の外表面が概ね連続する構成となっているため、操作時に手に引っ掛かるものが無く操作性が向上するとともに、機器本体１とクリップ２との間に衣服のポケットやベルト等の被取付物を挿抜するだけで携帯型通信機器１００を被取付物に容易に取付けおよび取外しできるため、利便性が向上する。
【００７１】
なお、上述した本実施の形態においては、携帯電話やスマートフォンとの無線通信が可能とされたヘッドセットに本発明を適用した場合を例示したが、携帯電話やスマートフォンとの有線通信が可能とされたヘッドセットや、携帯電話やスマートフォン自体、あるいはこれに類する小型の電子機器またはそれに無線通信あるいは有線通信可能に具備されるさらに小型の携帯型通信機器等にも、当然に本発明の適用が可能である。
【００７２】
以上において、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【００７３】
１  機器本体、２  クリップ、３  電池、５  回路基板、６  マイクロホン、７  レシーバ、８  表示部、９  動作状態表示部、１０  前側キャビネット、１１  台座部、１２  第２ネジ穴、１３  湾曲部、２０  後側キャビネット、２１  先端突出部、２２  第３貫通孔、２３  切欠き部、２４  載置部、２５  台座部、２６  第１ネジ穴、２７  段差部、２８  湾曲部、３０  前側カバー、３１  先端部、３２  第１貫通孔、３３  位置決め突起、３４  サブカバー、４０  後側カバー、４１  湾曲部、６０  板バネ、６１  第２貫通孔、６２  位置決め孔、６４  折り曲げ部、６５  膨出部、７１  第２ネジ、７２  第１ネジ、８１  第１収容空間、８２  第２収容空間、１００  携帯型通信機器、１０１  スライド突起、１０２  位置決め溝、１０３  係合突起、２０１  スライド溝、２０２  位置決め突起、２０６  係合突起、３０１  位置決め溝、３０２，３０４  係合溝、３０５  係合孔、４０１  位置決め突起、４０２  係合突起、４０３，４０６  係合溝、４０４，４０５  係合部。
【図１】
2014060588.tif 000003
【図２】
2014060588.tif 000004
【図３】
2014060588.tif 000005
【図４】
2014060588.tif 000006
【図５】
2014060588.tif 000007
【図６】
2014060588.tif 000008
【図７】
2014060588.tif 000009
【図８】
2014060588.tif 000010
【図９】
2014060588.tif 000011
【図１０】
2014060588.tif 000012